(57)【要約】【課題】不安定な咬合の人工歯が安定な咬合を得る。【解決手段】口腔内全歯で咬む咬合圧感知フィルム１５０の情報をコンピューター１５１に入力可能とし、人工歯内の咬合圧感知センサー１５５からの情報をコンピューター１５１に入力可能とし、安定な咬合になるまで駆動モーター（１５２）を制御し人工歯の咬合面部を自在に調節して、安定な咬合を得る。【選択図】      図４
2004337182.tif 000002
【特許請求の範囲】
【請求項１】
前歯の人工歯を形成する断面が、基本的には歯冠部（１）と結合部（２）との間に、緩衝材（１０）と、歯冠部（１）の上下移動，水平移動，斜方向移動，軸回転移動を含む少なくとも一つ以上の機能を有する調節機構部（３）と、少なくとも一つ以上の咬合圧感知センサー（４）と、必要に応じて少なくとも一つ以上の緩圧装置（５）を設けて、歯冠外部からの調節機構部（３）を動かす連接棒（７）緩圧装置（５）の強弱の調節を行なう連接棒（８）咬合圧感知センサー（４）からの情報連絡線（９）の少なくとも一つ以上が連絡した歯冠部コネクター（６）を設けたことを特徴とする前歯の人工歯。
【請求項２】
臼歯の人工歯を形成する断面が、基本的には咬合面部（５０）と結合部（５１）との間に、緩衝材（５９）と、咬合面部（５０）の上下移動，水平移動，近心遠心への傾斜移動，頬側舌側への傾斜移動，斜方向移動、回転移動を含む少なくとも一つ以上の移動調節機能を有する調節機構部（５２）と、少なくとも一つ以上の咬合圧感知センサー（５３）と、必要に応じて少なくとも一つ以上の緩圧装置（５４）を設け、人工歯の表面に調節機構部（５２）から連絡する連接棒（５８）と必要に応じて設ける緩圧装置（５４）から連絡する連接棒（５６）と咬合圧感知センサー（５３）からの情報連絡線（５７）の少なくとも一つ以上が歯冠部開口部に連絡する歯冠部コネクター（５５）を設けたことを特徴とする臼歯の人工歯。
【請求項３】
人工歯の緩衝材（１０）（５９）が、口腔内温度で硬化して、口腔外での高温の温水もしくは低温の冷水では軟化することを特徴とする請求項１及び請求項２記載の人工歯。
【請求項４】
人工歯の緩衝材（１０）（５９）が、咀嚼時には硬化して、咬合調節時には軟化することを特徴とする請求項１及び２記載の人工歯。
【請求項５】
人工歯の緩衝材（１０）（５９）が、異なる周波数の光線を吸収することにより硬化することと、軟化することを自在として、咬合調節時には軟化して、咀嚼時には硬化することを特徴とする請求項１及び２記載の人工歯。
【請求項６】
人工歯の歯冠部コネクター（１００）と相対向して合致する着脱可能な駆動モーター側コネクター（１０１）と、駆動モーター（１０２）と、電源（１０３）と、コントロールスイッチ（１０４）と、制御装置（１０５）とからなる咬合調節用駆動モーター。
【請求項７】
咬合調節を行なうために、人工歯の咬合面部が上下移動，水平移動，斜方向移動，軸回転移動を含む少なくとも一つ以上の動きを制御する伝達装置の末端と、必要に応じて咬合面部の咬合圧や接触関係を感知する情報を伝える末端とが、開口する歯冠部コネクター（１００）と、相対向して合致する着脱可能な駆動モーター側コネクター（１０１）と、駆動モーター（１０２）と、電源（１０３）と、コントロールスイッチ（１０４）と、制御装置（１０５）とからなる咬合調節用駆動モーター。
【請求項８】
請求の範囲第６項の咬合調節用駆動モーターが  回転方向を正回転，逆回転の制御、回転速度の低速，高速の制御、回転トルクの弱，強の制御、咬合圧感知センサーからの情報による駆動モーターの制御、咬合圧感知フィルムからの情報による駆動モーターの制御、咬合圧感知フィルムと咬合圧感知センサーからの両方の情報の制御、クラッチの制御、の少なくとも一つ以上の機能を設けたことを特徴とする咬合調節用駆動モーター。
【請求項９】
咬合圧の大小  面積  部位、下顎運動時の対合歯との接触関係の少なくとも一つ以上の情報を伝える咬合圧感知フィルム（１５０）が、ケーブル（１５４）もしくは無線の送受信装置で、コンピューター（１５１）に連絡し、咬合圧接触関係の情報を画面上に数字  グラフ  図形  色での表示と、音  振動の少なくとも一つ以上の方法で表して、術者が安定な咬合調節を直接入力して制御する方法、もしくは予め入力されたプログラム、により駆動モーター（１５２）を制御し、駆動モーター（１５２）より連動する駆動モーター側コネクター（１５３）が着脱可能な歯冠部コネクター（１５７）と結合して、人工歯の咬合調節を行なう人工歯調節装置。
【請求項１０】
請求項９記載の人工歯調節装置が、咬合圧感知センサー（１５５）からの情報をフィードバック線（１５６）を介してコンピューター（１５１）に入力し、駆動モーター（１５２）を制御する方法をとる人工歯と制御装置。
【請求項１１】
人工歯の歯冠部コネクター（２００）が一層の可変フィルム（２０１）により形成されることを特徴とする人工歯。
【請求項１２】
臼歯の人工歯を形成する断面が、基本的には咬合面部（２５１）と結合部（２５２）との間に、可塑性緩衝材（２５３）からなる調節層（２５４）を設けて、咬合圧にて沈下移動する咬合面部（２５１）が安定な咬合関係を得た場所で、可塑性緩衝材が硬化して人工歯全体が硬質な材質に変化することを特徴とする臼歯の人工歯。
【請求項１３】
前歯の人工歯を形成する断面が、基本的には歯冠部（３１０）と結合部（３１１）との間に、可塑性緩衝材（３１２）からなる調節層（３１３）を設けて、咬合圧にて沈下移動する歯冠部（３１０）が安定な咬合関係を得た場所で、可塑性緩衝材が硬化して人工歯全体が硬質な材質に変化することを特徴とする前歯の人工歯。
【請求項１４】
臼歯の人工歯を形成する断面が、基本的には咬合面部（３５０）と結合部（３５１）との間に、可塑性緩衝材（３５２）からなる調節層（３５３）と伸縮自在な緩衝材からなる緩圧層部（３５４）を設けて、咬合圧にて沈下移動する咬合面部（３５０）が安定な咬合関係を得た場所で可塑性緩衝材（３５２）が、まず第一に歪みを吸収したまま硬化する調節層（３５３）と、伸縮自在なる緩衝材からなる緩圧層部（３５４）が、咬合面部（３５０）と結合部（３５１）との間に設けたことを特徴とする臼歯の人工歯。
【請求項１５】
前歯の人工歯を形成する断面が、基本的には歯冠部（４００）と結合部（４０１）との間に、可塑性緩衝材（４０２）からなる調節層（４０３）と伸縮自在な緩衝材からなる緩圧層部（４０４）を設けて、咬合圧にて沈下する歯冠部（４００）が安定な咬合関係を得た場所で可塑性緩衝材がまず第一に歪みを吸収したまま硬化する調節層（４０３）と伸縮自在なる緩衝材からなる緩圧層部（４０４）が歯冠部（４００）と結合部（４０１）との間に設けたことを特徴とする前歯の人工歯。
【請求項１６】
可塑性緩衝材の硬化と軟化が二種類の異なる周波数の光照射を吸収することにより自在に行なわれることを特徴とする請求項１２，１３，１４及び１５記載の人工歯。
【請求項１７】
可塑性緩衝材が口腔外の高温もしくは低温で軟化して、口腔内温度で硬化することを特徴とする請求項１２，１３，１４及び１５記載の人工歯。
【請求項１８】
臼歯の人工歯を形成する断面が、基本的には咬合面部と結合部との間に、中心咬合位で一次硬化する一次硬化型可塑性緩衝材（４５０）と、側方運動，前方運動時の咬頭緩衝を生じない運動範囲を確保した時に二次硬化する二次硬化型可塑性緩衝材（４５１）を設けたことを特徴とする臼歯の人工歯。
【請求項１９】
前歯の人工歯を形成する断面が、基本的には歯冠部と結合部との間に、中心咬合位で一次硬化する一次硬化型可塑性緩衝材と、側方運動，前方運動時の咬頭緩衝を生じない運動範囲を確保した時に二次硬化する二次硬化型可塑性緩衝材を設けたことを特徴とする前歯の人工歯。
【請求項２０】
一次硬化型可塑性緩衝材と、二次硬化型可塑性緩衝材とが、異なる周波数の光照射の光線を吸収することにより硬化が別々に可能であるとともに、前記異なる周波数とは別の周波数の光照射の光線を吸収することで軟化も可能である、請求項１８及び１９記載の人工歯。
【請求項２１】
一次硬化型可塑性緩衝材と、二次硬化型可塑性緩衝材とが、口腔内温度では硬化して、口腔外での高温状態で、一次硬化型可塑性緩衝材が硬化して、低温状態で二次硬化型緩衝材が軟化を可能とする請求項１８及び１９記載の人工歯。
【請求項２２】
人工歯を形成する断面が、咬合面部（５００）と結合部（５０１）の間に、咬合面部（５００）の自在な移動調節を可能とする調節機構装置（５０２）と、駆動モーター（５０３）と電源（５０４）と、少なくとも一つ以上の咬合圧感知センサー（５０５）と、マイクロコンピューター（５０６）が連動して、中心咬合位の位置と前方や側方運動時の動きを感知して、最良の位置に移動可能とする臼歯の人工歯。
【請求項２３】
人工歯を形成する断面が、歯冠部（５５０）と結合部（５５１）と間に、歯冠部（５５０）の自在な移動調節を可能とする調節機構装置（５５２）と、駆動モーター（５５３）と、電源（５５４）と、少なくとも一つ以上の咬合圧感知センサー（５５５）と、マイクロコンピューター（５５１）が連動して、中心咬合位の位置と前方や側方運動時の動きを感知して、最良の位置に移動可能とする前歯の人工歯。
【請求項２４】
人工歯を形成する断面が、咬合面部（６００）と結合部（６０１）との間に、咬合面部の自在な移動調節を可能とする調節機構装置（６０２）と、駆動モーター（６０３）と、電源（６０４）と、少なくとも一つ以上の咬合圧感知センサー（６０５）と、受信装置（６０６）からなる人工歯で、術者もしくは患者自身の感じる咬合を再現するために無線の制御発信装置（６０７）により自在に咬合面部の自在な移動調節を可能とする臼歯の人工歯。
【請求項２５】
人工歯を形成する断面が、歯冠部（６５０）と結合部（６５１）との間に、歯冠部（６５０）の自在な移動調節を可能とする調節機構装置（６５２）と、駆動モーター（６５３）と、電源（６５４）と、少なくとも一つ以上の咬合圧感知センサー（６５５）と、受信装置（６５６）からなる人工歯で、術者もしくは患者自身の感じる咬合を再現するために無線の制御発信装置（６５７）により自在に歯冠部（６５０）の自在な移動調節を可能とする前歯の人工歯。
【請求項２６】
咬合調節のために、患者や術者が手にする無線の制御装置が、患者の口腔内の人工歯の咬合面部と結合部の間に設けた無線の受信装置で駆動モーターを制御して、咬合面部の移動調節を行なう調節機構部を動かし咬合面部を自在に調節可能とする人工歯で、駆動モーターを動かす電源を無線の制御と同時に高周波エネルギーの形で人工歯内部に駆動モーターを動かす電源として送り込む構成とする無線の制御装置と、それを受け取る構成とする人工歯。
【請求項２７】
臼歯の人工歯を形成する断面が、基本的には咬合面部（７０１）と結合部（７０２）との間に、連接棒（７０４）と連動するクサビ状昇降用可変ブロック（７０３）と弾性材層（７０５）を設けたことを特徴とする臼歯の人工歯。
【請求項２８】
臼歯の人工歯を形成する断面が、基本的には咬合面部（７０１）と結合部（７０２）との間に、連接棒（７０４）と連動するクサビ状昇降用可変ブロック（７０３）と弾性材層（７０５）を設け、咬合面部（７０１）と結合部（７０２）の相対向する内面が互いに凹部と凸部で形成されることを特徴とする臼歯の人工歯。
【請求項２９】
臼歯の人工歯のクサビ状昇降用可変ブロック（７０３）が硬質な材質のみで形成される場合と、咬合力により弾性変形を生じる軟質材で形成される場合と、硬質材と軟質材を組み合わせて形成される場合、とに形成されていることを特徴とする請求項２６及び２７記載の臼歯の人工歯。
【請求項３０】
前歯の人工歯を形成する断面が、基本的には歯冠部（７５１）と結合部（７５０）との間に、連接棒（７５２）と連動するクサビ状昇降用可変ブロック（７５３）と弾性材層（７５４）を設けたことを特徴とする前歯の人工歯。
【請求項３１】
前歯の人工歯を形成する断面が、基本的には歯冠部（７５１）と結合部（７５０）との間に、連接棒（７５２）と連動するクサビ状昇降用可変ブロック（７５３）と弾性材層（７５４）を設け、相対向する歯冠部（７５１）と結合部（７５６）の内面が凹部と凸部で形成されることを特徴とする前歯の人工歯。
【請求項３２】
前歯の人工歯のクサビ状昇降用可変ブロック（７５３）が硬質な材質のみで形成される場合と、咬合力により弾性変形を生じる軟質材で形成される場合と、硬質材と軟質材を組み合わせて形成される場合、とに形成されていることを特徴とする請求項２９及び３０記載の前歯の人工歯。
【請求項３３】
臼歯の人工歯の歯冠表面が交換可能なことを特徴とする請求項２，１１，１２，１４，１８，２１，２３，２５，２６，２７及び２８記載の臼歯の人工歯。
【請求項３４】
前歯の人工歯の歯冠表面が交換可能なことを特徴とする請求項１，１１，１３，１５，１８，２２，２４，２５，２９，３０及び３１記載の前歯の人工歯。
【請求項３５】
口腔内の上下顎の全歯の咬合関係を、コンピューターに入力可能として、不安定な咬合関係を、安定な咬合関係になるまで前記コンピューターが駆動モーターを制御し、人工歯の咬合面部を自在に移動調節可能とする人工歯と制御装置。
【請求項３６】
両側性均衡及び前後的均衡，片側性均衡，犬歯誘導（ｃｕｓｐｉｄ  ｇｕｉｄａｎｃｅ），リンガライズド・オクルージョン（ｌｉｎｇｕａｌｉｚｅｄ  ｏｃｃｌｕｓｉｏｎ）の少なくとも一つ以上の接触関係を作るために咬合面部が上下移動，水平移動，斜方向移動，軸回転移動を含む自在な咬合面部を移動可能とする人工歯と、口腔内全歯の咬合状態を把握して人工歯を制御する制御装置。
【請求項３７】
フルバランスド・オクルージョン（ｆｕｌｌ  ｂａｌａｎｃｅｄ  ｏｃｃｌｕｓｉｏｎ）とグループ・ファンクションド・オクルージョン（ｇｒｏｕｐ  ｆｕｎｃｔｉｏｎｅｄ  ｏｃｃｌｕｓｉｏｎ）とミューチュアリー・プロテクテッド・オクルージョン（ｍｕｔｕａｌｌｙ  ｐｒｏｔｅｃｔｅｄｏｃｃｌｕｓｉｏｎ）との少なくとも一つ以上の咬合関係を作るために、咬合面部が上下移動，水平移動，斜方向移動，軸回転移動を含む自在な咬合面部を移動可能とする人工歯と、口腔内全歯の咬合状態を把握して前記人工歯を制御する制御装置。
【請求項３８】
制御装置が駆動モーターを制御して人工歯の咬合面部の移動を行なう方法をとることを特徴とする請求項３６記載の人工歯の制御装置。
【請求項３９】
“Ｓｌｉｄｅ  ｉｎ  ｃｅｎｔｒｉｃ”，“Ｐｏｉｎｔ  ｃｅｎｔｒｃ”，“Ｆｒｅｅｄｏｍ  ｉｎ  ｃｅｎｔ−ｒｉｃ”の少なくとも一つ以上の顎位と咬合位との関係を自在に作り出すために、咬合面部が上下移動，水平移動，斜方向移動，軸回転移動を含む自在な咬合面部の移動調節機能を設けた人工歯と、口腔内全歯の咬合状態を把握して人工歯を制御する制御装置。
【請求項４０】
制御装置が駆動モーターを制御して人工歯の咬合面部の移動を行なう方法をとることを特徴とする請求項３８記載の人工歯の制御装置。
【請求項４１】
人工歯の歯冠部コネクター（８０９）に開口する連接棒（８０２）が昇降装置である回転円盤（８０３）と連動して昇降用ピラー（８０５）の上下の調節により歯冠全体を上下移動を可能とし、連接棒（８０７）が歯冠部辺縁と昇降用ピラー（８０５）とが調節自在に固定して連接棒（８０７）の正回転，逆回転により昇降用ピラー（８０５）と歯冠部辺縁の距離の変化で歯冠部内部の昇降用ピラー（８０５）の上端の接点を支点として歯冠部全体が傾斜可能にして咬合調節可能な人工歯。
【請求項４２】
咬合圧を感知する咬合圧感知センサー（８０８）を歯冠内部に設けて、その情報を歯冠部コネクター（８０９）に連絡し駆動モーターによる制御を可能とすることを特徴とする請求項４１記載の人工歯。
【請求項４３】
人工歯の歯冠部コネクター（８５９）に開口する連接棒（８５２）が咬頭直下に設けた昇降装置と連動し、連接棒（８５２）の正回転，逆回転により昇降装置が昇降用ピラー（８５５）の上下移動を可能として、臼歯においては機能咬頭直下に二ヶ所と、非機能咬頭直下に一ヶ所配置して、三点の昇降用ピラーで歯冠全体を支え少なくとも一ヶ所以上の前記昇降装置の調節により自在に咬合調節可能な人工歯。
【請求項４４】
昇降装置が回転円盤（８５４）であることを特徴とする請求項４３記載の人工歯。
【請求項４５】
咬合圧感知センサー（８５８）を歯冠内部に設けて、情報連絡線を歯冠部コネクターに開口することを特徴とする請求項４３及び４４記載の人工歯。
【請求項４６】
保持ピラー（８５７）を人工歯の中央に設けて歯冠部（８５１）と結合部（８５０）を調節可能にして強固に形成されていることを特徴とする請求項４３，４４，及び４５記載の人工歯。
【請求項４７】
臼歯の人工歯の咬頭頂下に昇降装置を設けて少なくとも二点以上で歯冠部全体を支えて、前記昇降装置と連絡する連接棒が歯冠部コネクターに開口し、前記連接棒の正回転，逆回転により人工歯の歯冠部を自在に移動して咬合調節を行なうことを特徴とする臼歯の人工歯。
【発明の詳細な説明】
【０００１】
【発明の属する技術分野】
この発明は、人工歯の咬合調節に関する。
【０００２】
【従来の技術】
従来、ＰＣＴ／ＪＰ９８／０３０２１（０６．０７．１９９８）Ｕｊｉ  Ｈｉｄｅｙｏが知られている。
【０００３】
【発明が解決しようとする課題】
第一に、回転ネジを手動で動かすため、咬合調節に時間がかかった。
第二に、咬合調節に、咬合紙の印記を数回必要とした。
第三に、調節する人工歯が増えるほど、時間も増えた。
第四に、口腔内全体の咬合をバランスよく調節するのは難しかった。
第五に、異なる咬合理論を、口腔内に瞬時に再現出来なかった。
第六に、人工歯表面の手動調節ネジが不潔域であった。
第七に、患者自身の咬合を利用して咬合調節が出来ないか。
第八に、人工歯の中に全ての機能を設けて咬合調節が出来ないか。
第九に、患者自身が感じる最良の咬合関係を選ぶことが出来ないか。
第十に、人工歯内に電池を設けず電源を供給出来ないか。
第十一に、昇降装置が変形や破損を生じやすかった。
第十二に、人工歯の色や形態の種類に限りがあった。
【０００４】
本発明は、咬合調節が迅速に行なえ、口腔内全体を的確に把握可能とし同時に理想的な咬合を得ることを目的としている。
【０００５】
【課題を解決するための手段】
第一の目的のために、咬合面部の移動調節や緩圧調節を駆動モーター制御するために歯冠部コネクターを設け、同規格のコネクターを駆動モーター側に設けて、コネクター同士を着脱可能とした。また必要に応じて、過大な咬合圧にも設定値が変化しないように咀嚼時には緩衝材が硬化する構成とした。
【０００６】
第二の目的のために、人工歯内部に咬合圧感知センサーを設けて咬合時調節され移動する咬合面部が対合歯と安定した咬合関係になった時に咬合圧感知センサーが感知する構成とした。
【０００７】
第三の目的のために、人工歯数歯から送られる咬合圧感知センサーからの情報を歯冠部コネクターからコンピューターに集めて適切な咬合関係，接触関係を指示して駆動モーターを制御し同時に数歯の人工歯を調節可能とした。
【０００８】
第四の目的のために、上下の天然歯や人工歯に咬まれた咬合圧感知フィルムの情報をコンピューターに入力可能としてコンピューターからの指示により駆動モーターを制御して人工歯の咬合面部を移動調節し咬合の安定をはかった。
【０００９】
第五の目的のために、個々の患者の中心咬合位，中心位，前方や側方の滑走運動，作業側や非作業側の干渉，などの情報を咬合圧感知フィルムと人工歯内の咬合圧センサーからコンピューターに入力し、いくつかの咬合理論に基づいた咬合理論による咬合状態を駆動モーターを駆動させて咬合の回復をはかる。瞬時に作り出した咬合回復の中でいちばん最適な咬合を選びその咬合を口腔内に瞬時に作れるようにした。
【００１０】
第六の目的のために、人工歯の内部から歯冠表面に出るノブが歯冠表面では伸縮自在なるフィルムを形成され、歯冠内部と外部の連絡がフィルムを通して行なうようにしてある。
【００１１】
第七の目的のために、適正な咬合になるまで可塑性緩衝材が弾性変形して安定した咬合を得た所で可塑性緩衝材が歪みを吸収したまま硬化して、人工歯が硬質な材質のみに変化する構成とした。
さらに、可塑性緩衝材が口腔内温度で硬化して温度条件により軟化するもの、異なる種類の光照射により硬化と軟化を自在とするもの、など咬合調節のために硬化と軟化を自在とする可塑性緩衝材を設けた。
【００１２】
第八の目的のために、人工歯内に咬合圧感知センサーを設けてマイクロコンピューターと連絡し駆動モーターを制御して調節機構装置を調節して咬合調節すべての機能を人工歯内に設ける構成とした。
【００１３】
第九の目的のために、患者が口腔内に装着した義歯の人工歯の咬合関係を自分で感じて、患者自身が制御発信装置を制御して、人工歯の咬合面部を自在に移動調節可能とする構成とした。
【００１４】
第十の目的のために、人工歯内部に設ける限りある電源を補うために、駆動モーターの電源を高周波エネルギーや、電磁波エネルギーとして無線の状態で送信することにした。
【００１５】
第十一の目的のために、クサビ状昇降用可変ブロックを設けて、過大な咬合圧を受けても昇降装置が破損を生じにくい構成とした。
【００１６】
第十二の目的のために、歯冠の表面の形態や色を患者に合わせてポーセレンや硬質レジンや金属で作って、その後で咬合調節を行なう機械部分と合体して人工歯となる構成とした。
【００１７】
【発明の実施の形態】
発明の実施の形態を実施例に基づき図面に従い説明する。
図１は、この発明にかかる前歯の基本となる人工歯の断面を示している。前歯の人工歯の結合部２と歯冠部１との間に、調節機構部３とそれを動かす連接棒７が歯冠部コネクター６に開口する、少なくとも一つ以上の咬合圧感知センサー４を設けて咬合圧感知センサー４から出る情報連絡線９が歯冠部コネクター７に開口する、必要に応じて、緩圧装置５を設けて連接棒８が歯冠部コネクターに開口する。
歯冠部１と調節機構部３と結合部２は、分割可能としてある。歯冠部１は個人に適合した色調や形態を自在にポーセレンや硬質レジンなどで形成可能とし、調節機構部３は故障の時に交換可能とする。
調節機構部３は歯冠部１を上下移動，水平移動，斜方向移動，傾斜移動，軸回転移動を含む自在な動きを可能とする。
咬合圧感知センサー４は、対合歯と咬合した時に咬合圧感知センサー４が感知する構成としてある。
緩衝材１０，５９は、あらゆる環境で弾性変形するものと、必要に応じて咬合調節時には軟化して質量要素での弾性を有し自在に歪みを吸収して変形するが、咬合調節を終えた時には歪みを吸収したまま硬化して人工歯全体が、硬化する機能となるもの、口腔内粘膜が火傷，凍傷を生じない口腔内温度で硬化して、その温度以外の高温環境，低温環境では軟化して、調節を自在に可能とするもの、また緩衝材１０，５９が異なる周波数の光照射を吸収することにより硬化と軟化を自在に可能とするものなど異なる条件で調節時には軟化して質量要素での弾性を有し、調節を終えた咀嚼時には歪みを吸収したまま硬化して、人工歯全体が硬化するものなど、咬合調節時には弾性を有し、咀嚼時には人工歯と一体となり硬化するものであればどのようなものでもよい。
【００１８】
図２は、この発明にかかる臼歯の基本となる人工歯の断面を示している。臼歯の人工歯の結合部５１と咬合面部５０の間に、咬合面部５０を自在に移動調節を行なう調節機構部５２から出る連接棒５８が歯冠部コネクター５５に開口する、また咬合圧感知センサー５３を少なくとも一つ以上設けて情報連絡線５７が歯冠部コネクター５５に開口する、必要に応じて設ける緩圧装置５４から連接棒５６が歯冠部コネクター５５に開口する。
咬合面部５０と調節機構部５２と結合部５１は、分割可能としてある。咬合面部５０は個人に適合した色調や形態を自在にポーセレンや硬質レジンなどで形成可能とし、調節機構部５２は故障の時に交換可能とする。調節機構部５２は、咬合面部５０を上下移動，水平移動，斜方向移動，傾斜移動，軸回転移動を含む自在な動きを可能とする。咬合圧感知センサー５３は少なくとも一つ以上設ける。機能咬頭頂下にひとつ設ける時や、非機能咬頭頂下にも設ける時もある。
対合歯と咬合した時に咬合圧感知センサー５３が感知する構成としてある。
【００１９】
図３は、人工歯の歯冠部コネクター１００と相対向して脱着可能なる駆動モーター側コネクター１０１が駆動モーター１０２と連動しコントロールスイッチ１０４の操作で制御装置１０５が駆動モーター１０２の制御を行い人工歯を調節する。また、人工歯内に設けた少なくとも一つ以上の咬合圧感知センサーが咬合圧を感知し安定な咬合になるように、制御装置１０５が駆動モーター１０２を動かし人工歯の咬合調節を行なう。
歯冠部コネクター１００に駆動モーター側コネクター１０１を差し込むと現在の歯冠部の高さの位置を表示可能とする。調節速度，調節の範囲，トルクの調節を可能としている。連続回転調節やステッピングモーターを使用して、小刻みに調節を行なう。それはミクロン単位の調節である。
【００２０】
図４は、口腔内の上下の全歯の天然歯と人工歯で咬む咬合圧感知フィルム１５０がケーブル１５４もしくは無線の送受信装置にて、コンピューター１５１とつながり咬合圧感知フィルム１５０の咬合圧を感知することにより制御を行い駆動モーター１５２が駆動モーター側コネクター１５３と連動して人工歯の歯冠部コネクター１５７に相対向して着脱可能となって駆動モーター１５２の動きによって人工歯の咬合調節を行なう。さらに、人工歯内に、少なくとも一つ以上設けた咬合圧感知センサー１５５の情報を歯冠部コネクター１５７から駆動モーター側コネクターを介してフィードバック線１５６を通過してコンピューター１５１に入りより微妙な駆動モーターの制御を可能として咬合調節を行なう。
【００２１】
図５は、歯冠部コネクター部２００を可変フィルム２０１で覆い、不潔域を無くしている。
【００２２】
図６は、咬合面部２５１と結合部２５２との間に、可塑性緩衝材２５３からなる調節層２５４を設けた。
【００２３】
図７は、歯冠部３１０と結合部３１１との間に、可塑性緩衝材３１２からなる調節層３１３を設けた。
【００２４】
図８は、咬合面部３５０と結合部３５１との間に、可塑性緩衝材３５２からなる調節層３５３と、緩圧層部３５４を設けた。
【００２５】
図９は、歯冠部４００と結合部との間に、可塑性緩衝材４０２からなる調節層４０３と、緩圧層部４０４を設けた。
【００２６】
図１０は、中心咬合位で一次硬化型可塑性緩衝材４５０が硬化して、安定した側方運動による咬合関係を得た時に、二次硬化型可塑性緩衝材４５１が硬化して人工歯を形成する。一次硬化型可塑性緩衝材４５０と二次硬化型可塑性緩衝材の４５１の硬化の差異については、硬化時間の異なるもの、硬化温度の異なるもので口腔内温度で硬化して口腔外の高温，低温で軟化するもの、光照射の波長の異なるもので硬化したり軟化させたりするものなどがあるが、その他にもどのようなものでも良い。
【００２７】
図１１は、咬合面部５００と結合部５０１との間に、咬合面感知センサー５０５と、調節機構装置５０２と、駆動モーター５０３と、電源５０４と、マイクロコンピューター５０６を設けた。
【００２８】
図１２は、歯冠部５５０と結合部５５１との間に、マイクロコンピューター５５６と、駆動モーター５５３と、調節機構装置５５２と、電源５５４と、咬合圧感知センサー５５５を設けた。
【００２９】
図１３は、咬合面部６００と結合部６０１との間に、受信装置６０６と咬合圧感知センサー６０５と、電源６０４と、駆動モーター６０３と、調節機構装置６０２を設けた。
さらに、口腔外から人工歯を制御する制御発信装置６０７からなる。
【００３０】
図１４は、歯冠部６５０と結合部６５１との間に、受信装置６５６と咬合圧感知センサー６５５と、電源６５４と、駆動モーター６５３と、調節機構装置６５２を設けた。
さらに、口腔外から人工歯を制御する制御発信装置６５７からなる。
【００３１】
図１５は、咬合面部７０１と結合部７０２との間に、クサビ状昇降用可変ブロック７０３が連接棒７０４と連動し、連接棒７０４の右回転，左回転することにより連動するクサビ状昇降用可変ブロック７０３が、前進したり後退することにより咬合面部７０１の移動を行い咬合調節を行なう。
【００３２】
図１６は、歯冠部７５１と結合部７５０との間に、クサビ状昇降用可変ブロック７５３が連接棒７５２と連動する。連接棒７５２を右回転，左回転することにより、クサビ状昇降用可変ブロック７５３を前進，後退することにより、歯冠部７５１の移動を行い咬合調節を行なう。
【００３３】
図１７は、この発明に係る前歯の人工歯の断面を示しているが、理解し易くするために、基本的な構成で示した。
結合部８００と一体成形からなる昇降用ピラーガイド８０６は、上下の範囲で昇降用ピラー８０５を移動可能としている。歯冠部コネクター８０９に開口する連接棒８０７は、昇降用ピラー８０５と歯冠部８０１を連絡して、連接棒８０７の正回転，逆回転することにより歯冠部８０１の一部にある歯冠部コネクター８０９の位置を昇降用ピラー８０５に近付けたり遠退けたりすることにより歯冠部８０１全体を前後に動かし咬合調節を可能としている。昇降用ピラー８０５の数は一人工歯当り少なくとも一つ以上設ける。
歯冠部８０１全体は、緩衝材８１０である弾性体やバネ要素であるバネなどで、結合部８００と分離しないように常時引き合い一体となる構成としてある。
歯冠部コネクター８０９に開口する連接棒８０２の正回転，逆回転することにより昇降用ピラーの上下の調節を行なうが、この図１７では厚さの異なる回転円盤８０３を回転させて薄い部分から厚い部分に移動することにより回転円盤８０３に接する昇降用ピラーが動くことにより咬合調節を行なうが、円盤状でなくても丈夫なものであればどのような形態でも良い。
咬合圧感知センサー８０８は、必要に応じて咬合圧を直接受け止める所に配置して、情報連絡線を歯冠部コネクター８０９に開口する。
【００３４】
図１８は、この発明に係る臼歯の人工歯の断面を示しているが、理解し易くするために、基本的な構成で示した。
下顎大臼歯であれば機能咬頭は頬側咬頭となるので頬側近心咬頭の頂下と、頬側遠心咬頭の頂下と、舌側咬頭の頂下に、昇降用ピラー８５５を三点に配置した。昇降用ピラー８５５の数は一人工歯当り少なくとも一つ以上設ける。
歯冠部コネクター８５９に開口する連接棒８５２とどのような方法でもよいのであるが、昇降用ピラー８５５との間には、図１８では厚さの異なる円盤である回転円盤８５４を設けて、連接棒８５２を回転することにより回転円盤８４４が回転して厚さの変化することにより昇降用ピラー８５５の上下を行なう。三点で歯冠部を支えているので一点ずつの調節により咬合面部８５１の自在な調節を行なう。
昇降用ピラー８５５の三点のおよそ中央には保持ピラー８５７を設けて歯冠部８５１の自在な調節を可能として歯冠部８５１と結合部８５０を質量要素としての弾性体やバネ要素であるバネなどで分離しないように互いに内側に引っ張る構成としてあるため人工歯の咬合調節のための昇降用ピラー８５５の上下の移動に合わせて、咬合面部８５１を人工歯の結合部８５０と引き合い、咬合面部８５１の安定をはかっている。
必要に応じて設ける咬合圧感知センサー８５８は、必要に応じて咬合圧を直接受け止める所に配置して、情報連絡線を歯冠部コネクター８５９に開口する。
【００３５】
【発明の効果】
本発明は、以上説明の構成となるので以下の効果を得る。
咬合調節のために歯冠部や咬合面部を駆動モーターで移動調節を行なうので咬合調節が迅速に行なえる。また、緩衝材は条件により硬化するので設定値が咀嚼時などによる外力にも変化しなく人工歯は安定している。
人工歯内部に咬合圧感知センサーを設けてあるので、咬合面部が咬合圧  接触関係を感知するまで移動調節を行なうことが出来るので何度も咬合紙を使用しなくても迅速に咬合調節が可能である。
少なくとも一つ以上設ける咬合圧感知センサーが中心咬合位そして側方運動時の咬合面部にかかる咬合圧、接触関係を感知するために中心咬合位で安定した咬合関係を確保して、側方運動時安定した咬合関係に調整可能となり安定な咬合関係を得ることが出来る。
【００３６】
さらに咬合圧感知フィルムを使用することにより天然歯と人工歯の全歯の咬合を把握してより安定な咬合を得ることが出来る。
【００３７】
可塑性緩衝材を設けて安定した咬合になった所で硬化するので安定した咬合を得ることが出来る。
可塑性緩衝材と緩圧層部の構成では安定した位置で可塑性緩衝材が硬化するのでより安定した咬合を得ることが出来る。
一次硬化型可塑性緩衝材が中心咬合位で硬化して、二次硬化型可塑性緩衝材が側方運動、前方運動で硬化させるため、より精密で安定した、咬合関係を得ることが出来る。
口腔内温度で硬化する可塑性緩衝材を設けた人工歯を高温の湯に入れて軟化させる、口腔内に戻し安定した咬合のところで硬化させて使用する、従って患者自身で簡単に安定な咬合を得ることが出来る。
【００３８】
人工歯内に設けたマイクロコンピューターが咬合圧感知センサーからの情報を分析して、咬合面部を安定した位置に動かすことが出来るので安定した咬合を得ることが出来る。
口腔内に装着した人工歯の咬合を自分で感じて、最良の咬合となるように患者自身が制御する制御発信装置の指示で咬合面部が移動出来るので、安定した咬合を得ることが出来る。
【００３９】
人工歯内の駆動モーターを動かす電源を人工歯外部より高周波エネルギーの形で無線で受け取る構成としたので半永久的に人工歯の咬合調節が可能となる。
クサビ状昇降用ブロックを設けることにより過大な咬合圧に耐えられる。
歯冠部表面が自在に色，形態を形成してから咬合調節を行なう機械部分と合体して、人工歯を形成出来るので個々人の患者に適合した色調や形態を得ることが出来る。
【００４０】
本発明の人工歯と制御装置は歯科治療に有用である。
【図面の簡単な説明】
【図１】前歯人工歯の縦断面図である。
【図２】臼歯人工歯の縦断面図である。
【図３】人工歯と駆動モーターとの関係図である。
【図４】人工歯の制御方法の簡略図である。
【図５】人工歯の歯冠部コネクターの縦断面図である。
【図６】臼歯人工歯の縦断面図である。
【図７】前歯人工歯の縦断面図である。
【図８】臼歯人工歯の縦断面図である。
【図９】前歯人工歯の縦断面図である。
【図１０】臼歯人工歯の縦断面図である。
【図１１】臼歯人工歯の縦断面図である。
【図１２】前歯人工歯の縦断面図である。
【図１３】臼歯人工歯の縦断面図である。
【図１４】前歯人工歯の縦断面図である。
【図１５】臼歯人工歯の縦断面図である。
【図１６】前歯人工歯の縦断面図である。
【図１７】前歯人工歯の縦断面図である。
【図１８】臼歯人工歯の縦断面図である。
【符号の説明】
１  歯冠部                    ５００  咬合面部
２  結合部                    ５０１  結合部
３  調節機構部                ５０２  調節機構装置
４  咬合圧感知センサー        ５０３  駆動モーター
５  緩圧装置                  ５０４  電源
６  歯冠部コネクター          ５０５  咬合圧感知センサー
７  連接棒                    ５０６  マイクロコンピューター
８  連接棒                    ５５０  歯冠部
９  情報連絡線                ５５１  結合部
１０  緩衝材                    ５５２  調節機構装置
５０  咬合面部                  ５５３  駆動モーター
５１  結合部                    ５５４  電源
５２  調節機構部                ５５５  咬合圧感知センサー
５３  咬合圧感知センサー        ５５６  マイクロコンピューター
５４  緩圧装置                  ６００  咬合面部
５５  歯冠部コネクター          ６０１  結合部
５６  連接棒                    ６０２  調節機構装置
５７  情報連絡線                ６０３  駆動モーター
５８  連接棒                    ６０４  電源
５９  緩衝材                    ６０５  咬合圧感知センサー
１００  歯冠部コネクター          ６０６  受信装置
１０１  駆動モーター側コネクター  ６０７  制御発信装置
１０２  駆動モーター              ６５０  歯冠部
１０３  電源                      ６５１  結合部
１０４  コントロールスイッチ      ６５２  調節機構装置
１０５  制御装置                  ６５３  駆動モーター
１５０  咬合圧感知フィルム        ６５４  電源
１５１  コンピューター            ６５５  咬合圧感知センサー
１５２  駆動モーター              ６５６  受信装置
１５３  駆動モーター側コネクター  ６５７  制御発信装置
１５４  ケーブル                  ７０１  咬合面部
１５５  咬合圧感知センサー        ７０２  結合部
１５６  フィードバック線          ７０３  クサビ状昇降用可変ブロック
１５７  歯冠部コネクター          ７０４  連接棒
２００  歯冠部コネクター          ７０５  弾性材層
２０１  可変フィルム              ７０６  調節面
２５１  咬合面部                  ７０７  咬面部内調節点
２５２  結合部                    ７５０  結合部
２５３  可塑性緩衝材              ７５１  歯冠部
２５４  調節層                    ７５２  連接棒
３１０  歯冠部                    ７５３  クサビ状昇降用可変ブロック
３１１  結合部                    ７５４  弾性材層
３１２  可塑性緩衝材              ７５５  調節面
３１３  調節層                    ７５６  摩擦面
３５０  咬合面部                  ７５７  歯冠部内調節点
３５１  結合部                    ８００  結合部
３５２  可塑性緩衝材              ８０１  歯冠部
３５３  調節層                    ８０２  連接棒
３５４  緩圧層部                  ８０３  回転円盤
４００  歯冠部                    ８０４  回転円盤センター軸
４０１  結合部                    ８０５  昇降用ピラー
４０２  可塑性緩衝材              ８０６  ピラーガイド
４０３  調節層                    ８０７  連接棒
４０４  緩圧層部                  ８０８  咬合圧感知センサー
４５０  一次硬化型可塑性緩衝材    ８０９  歯冠部コネクター
４５１  二次硬化型可塑性緩衝材    ８１０  緩衝材
８１１  板バネ
８５０  結合部
８５１  歯冠部
８５２  連接棒
８５３  回転円盤センター軸
８５４  回転円盤
８５５  昇降用ピラー
８５６  ピラーガイド
８５７  保持ピラー
８５８  咬合圧感知センサー
８５９  歯冠部コネクター
８６０  緩衝材
【図１】
2004337182.tif 000003
【図２】
2004337182.tif 000004
【図３】
2004337182.tif 000005
【図４】
2004337182.tif 000006
【図５】
2004337182.tif 000007
【図６】
2004337182.tif 000008
【図７】
2004337182.tif 000009
【図８】
2004337182.tif 000010
【図９】
2004337182.tif 000011
【図１０】
2004337182.tif 000012
【図１１】
2004337182.tif 000013
【図１２】
2004337182.tif 000014
【図１３】
2004337182.tif 000015
【図１４】
2004337182.tif 000016
【図１５】
2004337182.tif 000017
【図１６】
2004337182.tif 000018
【図１７】
2004337182.tif 000019
【図１８】
2004337182.tif 000020
【手続補正書】
【提出日】平成13年1月24日(2001.1.24)
【手続補正１】
【補正対象書類名】明細書
【補正対象項目名】請求項２１
【補正方法】変更
【補正の内容】
【請求項２１】
一次硬化型可塑性緩衝材と、二次硬化型可塑性緩衝材とが、口腔内温度では硬化して、口腔外での高温状態で、一次硬化型可塑性緩衝材が軟化して、低温状態で二次硬化型緩衝材が軟化を可能とする請求項１８及び１９記載の人工歯。